【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
支持体及び該支持体上に形成された感光層を有する電子写真感光体において、
該電子写真感光体の表面層が、下記一般式（１）で示される繰り返し構造単位と下記一般式（２）で示される繰り返し単位とを有するポリカーボネート重合体を含有し、
該ポリカーボネート重合体の末端のいずれか一方又は両方の構造が、下記一般式（３）で示される構造であり、
下記一般式（２）中のｍと下記一般式（３）中のｎとの関係が、ｍ＝ｎである
ことを特徴とする電子写真感光体。
【化１】
2007199688.tif 000001
（一般式（１）中、Ｘは、単結合、−Ｏ−、−Ｓ−、又は、置換もしくは無置換のアルキリデン基を示す。Ｒ１１〜Ｒ１８は、同一又は異なって、水素原子、ハロゲン原子、アルコキシ基、ニトロ基、置換もしくは無置換のアルキル基、又は、置換もしくは無置換のアリール基を示す。）
【化２】
2007199688.tif 000002
（一般式（２）中、Ｒ２１及びＲ２２は、水素原子、アルキル基、又は、アリール基を示す。Ｒ２３〜Ｒ２６は、同一又は異なって、水素原子、ハロゲン原子、置換もしくは無置換のアルキル基、又は、アリール基を示す。ａは、１以上３０以下の正の整数を示し、ｍは、１以上５００以下の正の整数を示す。）
【化３】
2007199688.tif 000003
（一般式（３）中、Ｒ３１及びＲ３２は、水素原子、ハロゲン原子、アルコキシ基、ニトロ基、置換もしくは無置換のアルキル基、又は、アリール基を示す。Ｒ３３及びＲ３４は、水素原子、アルキル基、又は、アリール基を示す。Ｒ３５〜Ｒ３９は、同一又は異なって、水素原子、ハロゲン原子、置換もしくは無置換のアルキル基、又は、アリール基を示す。ｂは、１以上３０以下の正の整数を示し、ｎは、１以上５００以下の正の整数を示す。）
【請求項２】
前記表面層が、下記一般式（４）で示されるポリジメチルシロキサンを更に含有する請求項１に記載の電子写真感光体。
【化４】
2007199688.tif 000004
（一般式（４）中、ｌは、平均繰り返し単位数を示す。）
【請求項３】
前記表面層に含有される前記一般式（４）で示されるポリジメチルシロキサンの含有量が、前記表面層に含有される前記ポリカーボネート重合体に対して５．０質量％以上２０．０質量％以下であり、前記表面層に含有される前記一般式（４）で示されるポリジメチルシロキサンの含有量と前記ポリカーボネート重合体の含有量との和が、前記表面層に含有される全固形分に対して０．１質量％以上５．０質量％以下である請求項２に記載の電子写真感光体。
【請求項４】
前記一般式（２）中のｍと前記一般式（３）中のｎと前記一般式（４）中のｌとの関係が、ｍ＝ｎ＝ｌであり、ｍ、ｎ、ｌが、１０以上１００以下であり、前記ポリカーボネート重合体中のシロキサン部位の割合が、１０質量％以上６０質量％以下である請求項１〜３のいずれかに記載の電子写真感光体。
【請求項５】
前記一般式（２）中のａが、３以下であり、Ｒ２３〜Ｒ２６が、いずれもメチル基であり、前記一般式（３）中のｂが、３以下であり、Ｒ３３〜Ｒ３９が、いずれもメチル基である請求項１〜４のいずれかに記載の電子写真感光体。
【請求項６】
請求項１〜５のいずれかに記載の電子写真感光体と、トナー像を転写材に転写した後の該電子写真感光体上に残留するトナーを除去するクリーニング手段とを一体に支持し、電子写真装置本体に着脱自在であることを特徴とするプロセスカートリッジ。
【請求項７】
請求項１〜５のいずれかに記載の電子写真感光体、該電子写真感光体を帯電させる帯電手段、帯電した該電子写真感光体に対して露光を行って該電子写真感光体上に静電潜像を形成する露光手段、該電子写真感光体上に形成された静電潜像をトナーで現像して該電子写真感光体上にトナー像を形成する現像手段、該電子写真感光体上に形成されたトナー像を転写材に転写する転写手段、及び、トナー像を転写材に転写した後の該電子写真感光体上に残留するトナーを除去するクリーニング手段を有することを特徴とする電子写真装置。
【手続補正２】
【補正対象書類名】明細書
【補正対象項目名】００１１
【補正方法】変更
【補正の内容】
【００１１】
本発明に従って、支持体及び該支持体上に形成された感光層を有する電子写真感光体において、
該電子写真感光体の表面層が、下記一般式（１）で示される繰り返し構造単位と下記一般式（２）で示される繰り返し単位とを有するポリカーボネート重合体を含有し、
該ポリカーボネート重合体の末端のいずれか一方又は両方の構造が、下記一般式（３）で示される構造であり、
下記一般式（２）中のｍと下記一般式（３）中のｎとの関係が、ｍ＝ｎである
ことを特徴とする電子写真感光体が提供される。
【手続補正３】
【補正対象書類名】明細書
【補正対象項目名】００１２
【補正方法】変更
【補正の内容】
【００１２】
【化５】
2007199688.tif 000005
【手続補正４】
【補正対象書類名】明細書
【補正対象項目名】００１３
【補正方法】変更
【補正の内容】
【００１３】
一般式（１）中、Ｘは、単結合、−Ｏ−、−Ｓ−、又は、置換もしくは無置換のアルキリデン基を示す。Ｒ１１〜Ｒ１８は、同一又は異なって、水素原子、ハロゲン原子、アルコキシ基、ニトロ基、置換もしくは無置換のアルキル基、又は、置換もしくは無置換のアリール基を示す。
【手続補正５】
【補正対象書類名】明細書
【補正対象項目名】００１４
【補正方法】変更
【補正の内容】
【００１４】
【化６】
2007199688.tif 000006
【手続補正６】
【補正対象書類名】明細書
【補正対象項目名】００１５
【補正方法】変更
【補正の内容】
【００１５】
一般式（２）中、Ｒ２１及びＲ２２は、水素原子、アルキル基、又は、アリール基を示す。Ｒ２３〜Ｒ２６は、同一又は異なって、水素原子、ハロゲン原子、置換もしくは無置換のアルキル基、又は、アリール基を示す。ａは、１以上３０以下の正の整数を示し、ｍは、１以上５００以下の正の整数を示す。
【手続補正７】
【補正対象書類名】明細書
【補正対象項目名】００１６
【補正方法】変更
【補正の内容】
【００１６】
【化７】
2007199688.tif 000007
【手続補正８】
【補正対象書類名】明細書
【補正対象項目名】００１７
【補正方法】変更
【補正の内容】
【００１７】
一般式（３）中、Ｒ３１及びＲ３２は、水素原子、ハロゲン原子、アルコキシ基、ニトロ基、置換もしくは無置換のアルキル基、又は、アリール基を示す。Ｒ３３及びＲ３４は、水素原子、アルキル基、又は、アリール基を示す。Ｒ３５〜Ｒ３９は、同一又は異なって、水素原子、ハロゲン原子、置換もしくは無置換のアルキル基、又は、アリール基を示す。ｂは、１以上３０以下の正の整数を示し、ｎは、１以上５００以下の正の整数を示す。
【手続補正９】
【補正対象書類名】明細書
【補正対象項目名】００５３
【補正方法】変更
【補正の内容】
【００５３】
【化１５】
2007199688.tif 000008
【手続補正１０】
【補正対象書類名】明細書
【補正対象項目名】００５４
【補正方法】変更
【補正の内容】
【００５４】
上記一般式（４）中、ｌは、平均繰り返し単位数を示す。
【手続補正１１】
【補正対象書類名】明細書
【補正対象項目名】００９９
【補正方法】変更
【補正の内容】
【００９９】
電子写真感光体１の周面に形成された静電潜像は、現像手段５のトナーにより現像されてトナー像となる。次いで、電子写真感光体１の周面に形成担持されているトナー像が、転写手段（転写ローラ）６からの転写バイアスによって、転写材供給手段（不図示）から電子写真感光体１と転写手段６との間（当接部）に電子写真感光体１の回転と同期して取り出されて給送された転写材（紙等）Ｐに順次転写されていく。
【手続補正１２】
【補正対象書類名】明細書
【補正対象項目名】０１００
【補正方法】変更
【補正の内容】
【０１００】
トナー像の転写を受けた転写材Ｐは、電子写真感光体１の周面から分離されて定着手段８へ導入されて像定着を受けることにより画像形成物（プリント、コピー）として装置外へプリントアウトされる。
【手続補正１３】
【補正対象書類名】明細書
【補正対象項目名】０１０１
【補正方法】変更
【補正の内容】
【０１０１】
トナー像を転写した後の電子写真感光体１の周面は、前露光手段１１からの前露光光により除電処理され、クリーニング手段（クリーニングブレード等）７によって転写残トナーの除去を受けて清浄面化された後、繰り返し画像形成に使用される。